(57)【要約】  【課題】  ディスクカートリッジにおいて、インサート成形したセンターコアに可撓性を有する情報記録媒体を固定したときに、情報記録媒体に歪みが発生するのを低減する。【解決手段】  センターコア１０が、金属部材１０Ｍを金型にインサートし、金型に樹脂を注入することにより成形されたものであって、金属部材１０Ｍが、上面１０ａに露出した平坦面１０ｘを有し、平坦面１０ｘのみが情報記録媒体５の中心部の下面に接着部材１３を用いて接着されている。【選択図】  図２
2005293799.tif 000002
【特許請求の範囲】
【請求項１】
扁平なケース内に、可撓性を有し、中心部にセンターコアを備えたディスク状の情報記録媒体を回転自在に収容してなるディスクカートリッジであって、前記情報記録媒体の中心部の下面に、前記センターコアの上面側が接着部材を用いて固定されたディスクカートリッジにおいて、
前記センターコアが、金属部材を金型にインサートし、該金型に樹脂を注入することにより成形されたものであって、
前記金属部材が、前記上面に露出した平坦面を有し、
該平坦面のみが前記情報記録媒体の中心部の下面に前記接着部材を用いて接着されていることを特徴とするディスクカートリッジ。
【請求項２】
前記平坦面が、該平坦面を囲う前記樹脂に対し突出していることを特徴とする請求項１に記載のディスクカートリッジ。
【発明の詳細な説明】
【技術分野】
【０００１】
本発明は、可撓性を有するディスク状の情報記録媒体を備えたディスクカートリッジに関するものであり、特に、センターコアに接着部材を用いて固定される情報記録媒体の構造に関するものである。
【背景技術】
【０００２】
従来、デジタルカメラ等のモバイル機器においては、記録媒体としてたとえば「ｃｌｉｋ！（登録商標）」や「Ｐｏｃｋｅｔ  Ｚｉｐ（登録商標）」と呼ばれる超小型の磁気ディスクカートリッジが使用されている（たとえば特許文献１、２参照。）。このディスクカートリッジは、たとえば幅５０ｍｍ、奥行き５５ｍｍ、厚さ１．９５ｍｍの扁平な金属薄板からなる上下シェルを備えたケース内に、４０ＭＢの記憶容量を有する直径約４６．５ｍｍの磁気ディスクからなる情報記録媒体を回転自在に収容したものである。
【０００３】
上述した磁気ディスクのような情報記録媒体は、たとえばプラスチックフィルムに磁性材を塗布したものであって可撓性を有するものである。この情報記録媒体は、回転軸に垂直なセンターコアの上面にたとえばアクリル系の接着剤を塗布しもしくはポリエチレンテレフタレートのようなフィルム基材の両面に接着剤層を形成したもの等を略全面に貼り付けた後、その上に情報記録媒体を貼り付けることによりセンターコアに固定されている。そして、ディスクドライブのスピンドルが、センターコアを磁気吸着により保持した状態で回転させることにより、情報記録媒体を回転させるようになっている。
【０００４】
ここで、小型のディスクカートリッジに用いられるセンターコアは切削加工や鍛造・圧造・鍛圧加工により成形される。これは、フロッピー（登録商標）ディスクのセンターコアを成形するときのように金属絞り加工を用いると、センターコアが十分なディスク貼付面積を確保することができないからである。また、小径の磁気ディスクにおいて、センターコア自体の容量が小さくなってしまうため、金属の着磁力のみではセンターコアがスピンドルに対して滑ってしまう問題もある。
【０００５】
そこで、たとえばセンターコアの下面側にギア部を設けてスピンドル側のギア部と噛み合わせることによりセンターコアの回転時の滑りをなくすことや、センターコアの下面側に各種ポリマーやゴム等の摩擦係数の高い材料をスピンドル側に接触させるによりセンターコアの回転時の滑りをなくすことが考えられる。上述したギア部や各種ポリマー等の樹脂をセンターコアの一部に形成する場合、金属部材をインサートした金型に上述した樹脂を注入するインサート成形によりセンターコアを製造することが考えられる（たとえば特許文献１、２参照。）。インサート成形されたセンターコアにおいては、下面から金属部材が露出し、情報記録媒体を貼り付ける上面は樹脂からなる構造を有している。
【特許文献１】特開２０００−２７６８６８号公報
【特許文献２】特開２００２−９３０９７号公報
【発明の開示】
【発明が解決しようとする課題】
【０００６】
しかし、プラスチック等の樹脂は、部品各部の樹脂の肉厚や射出成形時の流動や固化時の圧力・冷却温度の不均一等から平坦面を成形するのは難しいため、センターコアの上面を平坦にすることも同様に困難になるという問題がある。具体的には、センターコアをインサート成形により形成したとき、上面の外周側に数十から数百μｍのヒケ、反り、変形を生ずる場合がある。上面に凹凸が発生しているセンターコアが情報記録媒体に貼り付けられたとき、この凹凸が接着部材を介して情報記録媒体のセンターコアに固定された領域に転移し、情報記録媒体の内周側の領域に歪みが発生する。そして、この歪みが内周側の領域から情報記録媒体の外周側のデータ領域にまで及んでしまう結果、面振れ特性の劣化によるトラッキングエラーの発生等が生じてしまう。
【０００７】
そこで、本発明は、インサート成形したセンターコアに可撓性を有する情報記録媒体を固定したときに、情報記録媒体に歪みが発生するのを低減することができるディスクカートリッジを提供することを目的とするものである。
【課題を解決するための手段】
【０００８】
本発明のディスクカートリッジは、扁平なケース内に、可撓性を有し、中心部にセンターコアを備えたディスク状の情報記録媒体を回転自在に収容してなるディスクカートリッジであって、情報記録媒体の中心部の下面に、センターコアの上面側が接着部材を用いて固定されたディスクカートリッジにおいて、センターコアが、金属部材を金型にインサートし、金型に樹脂を注入することにより成形されたものであって、金属部材が、上面に露出した平坦面を有し、平坦面のみが情報記録媒体の中心部の下面に接着部材を用いて接着されていることを特徴とするものである。
【０００９】
ここで、平坦面は、上面に露出したものであれば、平坦面を囲う樹脂と同一平面上に形成されていてもよいし、平坦面を囲う樹脂に対し突出していてもよい。
【発明の効果】
【００１０】
本発明のディスクカートリッジによれば、センターコアが、金属部材を金型にインサートし、金型に樹脂を注入することにより成形されたものであって、金属部材が、上面に露出した平坦面を有し、その平坦面のみが情報記録媒体の中心部の下面に接着部材を用いて接着されていることにより、平坦加工が樹脂よりも容易な金属部材に平坦面を設け、上面の凹凸の少ない部位である平坦面のみが情報記録媒体に接着することになるため、情報記録媒体に歪みが発生するのを抑制することができる。
【００１１】
なお、平坦面が、平坦面を囲う樹脂に対し突出しているようにすれば、情報記録媒体が上面の樹脂部分に接触しにくくすることができるため、上面の樹脂部分に形成された凹凸が情報記録媒体に及ぶ恐れがなくなり、情報記録媒体に歪みが発生するのを抑制することができる。
【発明を実施するための最良の形態】
【００１２】
以下、図面を参照して本発明のディスクカートリッジの実施の形態を詳細に説明する。図１は本発明のディスクカートリッジの分解斜視図である。図１のディスクカートリッジ１は、たとえばいわゆる３．５インチタイプのフロッピー（登録商標）ディスクカートリッジであり、上シェル２および下シェル３を接合して形成された扁平なケースＣと、ケースＣ内に回転自在に収容された円盤状の情報記録媒体５とを備えている。
【００１３】
上シェル２および下シェル３は扁平な略矩形状に形成されており、たとえば合成樹脂から形成されている。上シェル２および下シェル３の外周には側壁を構成する外周リブ２ａ、３ａが形成されており、この外周リブ２ａ、３ａとを突き合わせた状態で接合することにより、情報記録媒体５を収容する空間が形成される。また、上シェル２および下シェル３には、情報記録媒体５にアクセスするための磁気ヘッド挿入用窓部２ｂ、３ｂが略長方形状に設けられており、さらにこの窓部２ｂ、３ｂを開閉可能なシャッター６が設けられる。
【００１４】
情報記録媒体５は、たとえばプラスチックフィルムの両面に磁性材を塗布した可撓性を有する磁気ディスクであって、ケースＣ内に回転自在に収容されている。情報記録媒体５における中心部の下面側にセンターコア１０の上面１０ａが固定されている。ここで、下シェル３の中央部分には、センターコア１０が外部に臨む大きさの円形状のスピンドル孔３ｃが形成されており、スピンドル孔３ｃからセンターコア１０の下面側が露出するようになっている。そして、ディスクカートリッジ１がディスクドライブ装置に装填されたときに、センターコア１０がディスクドライブ装置のスピンドルがセンターコア１０を保持する。スピンドルがセンターコア１０を回転させたとき、センターコア１０と固着している情報記録媒体５が回転するようになっている。
【００１５】
図２はディスクドライブのスピンドルにチャッキングされた状態でのセンターコア１０の周辺部位の一部を模式的に示した断面図である。図２のセンターコア１０は、たとえば円筒状に成形された金属部材１０Ｍをインサートした金型に、プラスチック等のポリマー、ゴム、エラストマ等からなる樹脂を注入することにより成形されたものである。ここで、金属部材１０Ｍは上面１０ａに露出した平坦面１０ｘを有し、この平坦面１０ｘのみが情報記録媒体５の下面に接着部材１３を用いて接着されている。接着部材としては、常液で液状の接着剤またはホットメルト接着剤を塗布したもの、フィルム基材の両面に接着層を形成したもの等を使用することができる。これにより、可撓性を有する情報記録媒体５にセンターコア１０が固定されたとき、上面１０ａの凹凸に起因する情報記録媒体５に歪みの発生を防止することができる。つまり、金属部材１０Ｍと樹脂１０Ｐとの平坦加工性を比較した場合、金属部材１０Ｍの方が樹脂１０Ｐよりも平坦に加工しやすい特性を有している。したがって、平坦面１０ｘの平坦度は、上面１０ａの樹脂部分によりも高い。したがって、平坦性の高い金属部材１０Ｍの平坦面１０ｘのみが情報記録媒体５に接着することにより、情報記録媒体５に歪みが発生するのを防止することができる。
【００１６】
さらに、センターコア１０は、平坦面１０ｘが上面１０ａにおいて平坦面１０ｘを囲う樹脂１０Ｐに対し高さｄだけ突出した構造を有している。これにより、情報記録媒体５が、平坦度の低い上面１０ａの樹脂部分に接触していないか、または接触しにくくすることができるため、上面１０ａの樹脂部分の凹凸が情報記録媒体５に転移し、情報記録媒体５に歪みが発生するのを防止することができる。
【００１７】
一方、センターコア１０の下面１０ｂ側においても、金属部材１０Ｍが露出した構造を有している。そして、軸ＣＬを中心として回転するディスクドライブのスピンドル５０に設けられた磁石が下面１０ｂから露出した金属部材１０Ｍを磁気吸着することにより、センターコア１０を保持するようになっている。なお、上述のように、センターコア１０の上面１０ａおよび下面１０ｂから金属部材１０Ｍを露出させるようにしているため、金属部材１０Ｍのセンターコア１０に占める割合は大きいものとなる。よって、センターコア１０の着磁力が向上し、スピンドル５０がセンターコア１０を保持しやすくなる。
【００１８】
また、下面１０ｂの外周側には、スピンドル５０に機械的に接続されるギア部１０Ｇが樹脂１０Ｐにより形成されている。そして、スピンドル５０がセンターコア１０を磁気吸着力により保持したときに、このギア部１０Ｇがスピンドル５０のギア部５１に噛み合うようになっている。すると、スピンドル５０がセンターコア１０を回転させたとき、センターコア１０がスピンドル５０に対して滑るのを防止することができる。
【００１９】
なお、図２においては、下面１０ｂ側にギア部１０Ｇが形成されている場合について例示しているが、図３に示すように、スピンドル５０がセンターコア１０を磁気吸着力により保持したときにスピンドル５０と接触する接触部１０Ｔをセンターコア１０の下面側の最外周領域に形成してもよい。この接触部１０Ｔは樹脂１０Ｐからなっているため摩擦力が大きく、スピンドル５０がセンターコア１０を回転させたとき、接触部１０Ｔの摩擦力により、センターコア１０がスピンドル５０に対して滑るのを防止することができる。
【００２０】
上記各実施の形態によれば、センターコア１０が、金属部材１０Ｍを金型にインサートし、金型に樹脂を注入することにより成形されたものであって、金属部材１０Ｍが、上面１０ａに露出した平坦面１０ｘを有し、平坦面１０ｘのみが情報記録媒体５の中心部の下面に接着部材１３を用いて接着されていることにより、平坦加工が樹脂よりも容易な金属部材に平坦面１０ｘを設け、上面１０ａの凹凸の少ない部位である平坦面のみが情報記録媒体５に接着することになるため、情報記録媒体５に歪みが発生するのを抑制することができる。
【００２１】
また、平坦面１０ｘが、平坦面１０ｘを囲う樹脂１０Ｐに対し突出させ、この部分で情報記録媒体５を接着部材で接着するようにすれば、情報記録媒体５が上面１０ａの樹脂部分に接触しないか、または接触しにくくすることができるため、上面１０ａの樹脂部分に形成された凹凸が情報記録媒体５に転移し、情報記録媒体５に歪みが発生するのを抑制することができる。
【００２２】
なお、本発明の実施の形態は、上記実施の形態に限定されない。たとえば、図１においていわゆる３．５インチタイプのフロッピー（登録商標）ディスクカートリッジに本発明を適用したものであるが、本発明はその種のディスクカートリッジ１に限らず、たとえば「ｃｌｉｋ！（登録商標）」や「Ｐｏｃｋｅｔ  Ｚｉｐ（登録商標）」と呼ばれる、たとえば幅５０ｍｍ、奥行き６、６ｍｍ、厚さ１．９５ｍｍの扁平な金属薄板からなる上下シェルを備えたハウジング内に、センターコアに固定された直径約４６．５ｍｍの磁気ディスク等の可撓性を有する磁気ディスクを回転自在に収容した超小型の磁気ディスクカートリッジやさらに直径が小さい約３５．６ｍｍ、２５．４ｍｍ、２１．６ｍｍ等の磁気ディスクを備えたディスクカートリッジに適用してもよい。
【図面の簡単な説明】
【００２３】
【図１】本発明のディスクカートリッジの好ましい実施の形態におけるロータリシャッターが閉状態にある状態を示す平面図および底面図
【図２】本発明のディスクカートリッジにおけるディスクドライブのスピンドルにチャッキングされた状態でのセンターコア１０の周辺部位の一部を模式的に示した断面図
【図３】本発明のディスクカートリッジにおけるセンターコアの別の実施の形態を示す断面図
【符号の説明】
【００２４】
１     ディスクカートリッジ
２     上シェル
２ｂ   窓部
３     下シェル
５     情報記録媒体
６     シャッター
１０Ｇ ギア部
１０   センターコア
１０ａ 上面
１０ｂ 下面
１０Ｍ 金属部材
１０Ｐ 樹脂
１０ｘ 平坦面
１３   接着部材
Ｃ     ケース
【図１】
2005293799.tif 000003
【図２】
2005293799.tif 000004
【図３】
2005293799.tif 000005